(57)【要約】【課題】液晶パネルにおけるハードウェア特性上のばらつきを吸収でき、均一な光学特性を得ることができる液晶表示装置を提供すること。【解決手段】ＴＦＴ液晶パネル４６の信号駆動回路４３の全端子に同一の周期的な信号を加えて液晶パネル全体に交流電圧を印加し、検出用抵抗Ｒ１で液晶パネル全体のセルギャップ静電容量に応じた電圧値を検出する。検出した電圧値を整流した後に、レジスタ４２３に保存する。セルギャップ補正テーブル４２４からセルギャップ静電容量に応じた電圧値に対応する係数を取得し、この係数と時間的に前後する２つの映像データの差分とを基に現在の入力映像データを強調した補正データを生成する。これにより、従来のオーバドライブ処理と比較して液晶パネルにおけるハードウェア特性上のばらつきを吸収することができ、均一な光学特性を得ることができる。【選択図】図１
2007256327.tif 000002
【特許請求の範囲】
【請求項１】
現在の入力映像データと１つ前の入力映像データとの間の差分に基づいて入力映像データを強調する映像データ強調手段と、液晶パネルに交流電圧を印加する交流電圧印加手段と、前記液晶パネルに交流電圧を印加したときに、前記液晶パネルのセルギャップの静電容量に応じた交流電圧を検出する静電容量検出手段と、前記静電容量に応じた電圧値とあらかじめ対応させた補正係数を求める補正係数抽出手段と、を具備し、前記映像データ強調手段は、前記差分と前記補正係数とに基づいて入力映像データの強調を行うことを特徴とする液晶表示装置。
【請求項２】
前記交流電圧印加手段は、電圧値が周期的に変化するデータを、前記液晶パネルの信号駆動回路の端子に印加する周期データ発生回路を具備し、前記静電容量検出手段は、前記液晶パネルの共通電極とグランドとの間に介挿される検出用抵抗と、前記検出用抵抗に発生する交流電圧を整流する整流回路と、前記整流回路の直流出力をディジタル変換するアナログ／ディジタルコンバータと、を具備することを特徴とする請求項１記載の液晶表示装置。
【請求項３】
前記交流電圧印加手段は、前記静電容量に応じた交流電圧を検出する際に、前記液晶パネルの共通電極駆動回路に交流信号を入力して前記液晶パネルに交流電圧を印加することを特徴とする請求項１記載の液晶表示装置。
【請求項４】
前記交流電圧印加手段は、電圧値が略一定のデータを液晶パネルの信号駆動回路の端子に印加する固定データ出力手段を具備し、前記静電容量検出手段は、前記液晶パネルの共通電極と前記共通電極駆動回路との間に介挿される検出用抵抗と、前記検出用抵抗に発生する交流電圧を検出するサンプルホールド回路と、前記サンプルホールド回路で検出された電圧値をディジタル変換するアナログ／ディジタルコンバータと、を具備することを特徴とする請求項３記載の液晶表示装置。
【請求項５】
前記補正係数は、前記液晶パネルに印加する補正データの立ち上がり時と立ち下がり時の夫々の応答時間を決定するものであることを特徴とする請求項１から請求項４のいずれかに記載の液晶表示装置。
【発明の詳細な説明】
【技術分野】
【０００１】
本発明は、携帯電話機やノート型のパソコンなどの表示手段を備える電子機器に用いられる液晶表示装置に関し、特にアクティブマトリクス型の液晶表示装置に関する。
【背景技術】
【０００２】
従来、アクティブマトリクス型の液晶表示装置では、応答時間を短縮する、すなわち液晶分子の動作を早めるために、オーバドライブと呼ばれる手法が用いられている(例えば特許文献１参照)。オーバドライブ手法は、現在の映像データを１つ前の映像データと比較し、その差分により補正値を決定して現在の映像データ値を補正するものである。図９は、液晶パネルの応答時間の短縮を図ったオーバドライブ機能を有する液晶表示装置の概略構成を示すブロック図である。液晶表示装置は、フレームメモリ１と、映像データ強調回路２と、信号駆動回路３と、走査駆動回路４と、共通電極駆動回路５と、ＴＦＴ液晶パネル６とを備えて構成される。
【０００３】
フレームメモリ１は、１フレーム分の映像データを格納する。映像データ強調回路２は、入力映像データを強調するものであり、現在入力された映像データとフレームメモリ１に格納されている１つ前の映像データとを比較し、その差分（階調差）を求める映像データ比較回路２１と、映像データ比較回路２１で求められた差分に応じて現在の映像データを補正する映像データ加算／減算回路２２とから構成される。映像データ強調回路２で補正された映像データが信号駆動回路３に入力される。なお、ＴＦＴ液晶パネル６は信号駆動回路３と走査駆動回路４と共通電極駆動回路５によって駆動される。
【０００４】
図１０は、映像データである入力データと、該入力データを補正する補正データと、該補正データによる液晶セルの光学応答を示す波形図である。この図において点線は補正をかけていない場合を示す。図１０に示す補正データは、その立ち上がり時から所定期間継続して補正電圧が加算され、また立下り時から所定期間継続して補正電圧が減算された波形である。このように、入力データの立ち上がり部分に補正電圧を加算し、立下り部分に補正電圧を減算することで、光学応答が良くなる。すなわち、液晶セルの応答時間が短縮される。
【特許文献１】特開２００２−３５１４０９号公報
【発明の開示】
【発明が解決しようとする課題】
【０００５】
しかしながら、従来のオーバドライブ機能を持つ液晶表示装置においては、単に階調差に応じて入力データの補正を行うのみであり、液晶パネルにおけるハードウェア特性上のばらつきを吸収できてない分、均一な光学特性が得られないという問題がある。
【０００６】
本発明はかかる点に鑑みてなされたもので、液晶パネルにおけるハードウェア特性上のばらつきを吸収でき、均一な光学特性を得ることができる液晶表示装置を提供することを目的とする。
【課題を解決するための手段】
【０００７】
本発明の液晶表示装置は、現在の入力映像データと１つ前の入力映像データとの間の差分に基づいて入力映像データを強調する映像データ強調手段と、液晶パネルに交流電圧を印加する交流電圧印加手段と、前記液晶パネルに交流電圧を印加したときに、前記液晶パネルのセルギャップの静電容量に応じた交流電圧を検出する静電容量検出手段と、前記静電容量に応じた電圧値とあらかじめ対応させた補正係数を求める補正係数抽出手段と、を具備し、前記映像データ強調手段は、前記差分と前記補正係数とに基づいて入力映像データの強調を行うことを特徴とする。
【０００８】
この構成によれば、液晶パネルに交流電圧を印加してセルギャップの静電容量に応じた交流電圧をセルギャップ値として検出し、検出したセルギャップ値を考慮して入力映像データを強調した強調データを得るので、単に時間的に前後する２つの映像データの差分を基に補正データを生成する場合と比較して、液晶パネルにおけるハードウェア特性上のばらつきを吸収することができ、均一な光学特性を得ることができる。
【０００９】
本発明の液晶表示装置においては、前記交流電圧印加手段は、電圧値が周期的に変化するデータを、前記液晶パネルの信号駆動回路の端子に印加する周期データ発生回路を具備し、前記静電容量検出手段は、前記液晶パネルの共通電極とグランドとの間に介挿される検出用抵抗と、前記検出用抵抗に発生する交流電圧を整流する整流回路と、前記整流回路の直流出力をディジタル変換するアナログ／ディジタルコンバータと、を具備することが好ましい。この構成によれば、液晶パネルに交流電圧を印加することができると共に、セルギャップの静電容量に応じた交流電圧を確実に検出することができる。
【００１０】
本発明の液晶表示装置においては、前記交流電圧印加手段は、前記静電容量に応じた交流電圧を検出する際に、前記液晶パネルの共通電極駆動回路に交流信号を入力して前記液晶パネルに交流電圧を印加することが好ましい。
【００１１】
本発明の液晶表示装置においては、前記交流電圧印加手段は、電圧値が略一定のデータを液晶パネルの信号駆動回路の端子に印加する固定データ出力手段を具備し、前記静電容量検出手段は、前記液晶パネルの共通電極と前記共通電極駆動回路との間に介挿される検出用抵抗と、前記検出用抵抗に発生する交流電圧を検出するサンプルホールド回路と、前記サンプルホールド回路で検出された電圧値をディジタル変換するアナログ／ディジタルコンバータと、を具備することが好ましい。この構成によれば、液晶パネルに交流電圧を印加することができると共に、セルギャップの静電容量に応じた交流電圧を確実に検出することができる。
【００１２】
本発明の液晶表示装置においては、前記補正係数は、前記液晶パネルに印加する補正データの立ち上がり時と立ち下がり時の夫々の応答時間を決定するものであることが好ましい。この構成によれば、セルギャップに最適な強調データを生成することができる。
【発明の効果】
【００１３】
本発明の液晶表示装置によれば、現在の入力映像データと１つ前の入力映像データとの間の差分に基づいて入力映像データを強調する映像データ強調手段と、液晶パネルに交流電圧を印加する交流電圧印加手段と、前記液晶パネルに交流電圧を印加したときに、前記液晶パネルのセルギャップの静電容量に応じた交流電圧を検出する静電容量検出手段と、前記静電容量に応じた電圧値とあらかじめ対応させた補正係数を求める補正係数抽出手段と、を具備し、前記映像データ強調手段は、前記差分と前記補正係数とに基づいて入力映像データの強調を行うので、液晶パネルにおけるハードウェア特性上のばらつきを吸収でき、均一な光学特性を得ることができる。
【発明を実施するための最良の形態】
【００１４】
液晶パネルにおけるハードウェア特性上のばらつきの主なものとして、液晶セルのセルギャップがある。一般に液晶セルの応答時間は、セルギャップによって変化することが知られている。図１は、アクティブマトリクス型液晶表示装置のＴＦＴ液晶パネルの部分断面図である。同図において、ＴＦＴ基板３３上にソース電極３１及びゲート電極３２を有するＴＦＴ３０が形成されている。このようなＴＦＴ基板３３とスペーサ３６を介して対向基板３４が配置される。ＴＦＴ基板３３と対向基板３４との間には、液晶分子３５が介在している。このようなＴＦＴ液晶パネルにおけるセルギャップｄは、量産において製造される個々の液晶パネルにおいてばらつきが生じて一定ではない。なお、ＴＦＴ基板３３や対向基板３４には、電極や配向膜などが形成されているが図１においては省略する。
【００１５】
ＴＦＴ液晶パネルに駆動電圧を印加したときの液晶分子３５が立ち上がる速度をｔｒとし、駆動電圧の印加を停止したときの液晶分子３５が分子間力により元に戻る時間をｔｄとすると、これらは下記式（１）、式（２）で表すことができる。
ｔｄ＝ηｄ２／(ΔεＶ−ｋπ２)           …（１）
ｔｒ＝ηｄ２／ｋπ２                     …（２）
ここで、ηは液晶分子のねじれ弾性であり、ｄはセルギャップであり、ｋは常数であり、Δεは液晶分子の長軸方向の誘電率εsと短軸方向の誘電率εsである。
【００１６】
ＴＦＴ液晶パネルは、個々の液晶パネルによりセルギャップｄが変わるので、上記式（１）、式（２）より、ｔｄやｔｒも個々の液晶パネルにより異なることになる。オーバドライブ処理は、駆動電圧に補正電圧を加算又は減算するので、ｔｄやｔｒが変わることになる。このため、個々の液晶パネルによりセルギャップｄが変わると、必然的にオーバドライブ処理にも影響が及ぶことになる。その結果、映像データを強調する補正の最適値がセルギャップにより異なることになる。
【００１７】
本発明者はこの点に着眼したものであり、液晶パネルのセルギャップを検出し、その検出値に基づいてオーバドライブ用の補正データの補正を行うことにより、映像データを強調する補正の最適値が個々のセルギャップによってずれることが無くなり、液晶パネル全体にわたって均一な光学特性が得られることを見出し本発明をするに至った。すなわち、本発明の骨子は、現在の入力映像データと１つ前の入力映像データとの間の差分に基づいて入力映像データを強調する映像データ強調手段と、液晶パネルに交流電圧を印加する交流電圧印加手段と、前記液晶パネルに交流電圧を印加したときに、前記液晶パネルのセルギャップの静電容量に応じた交流電圧を検出する静電容量検出手段と、前記静電容量に応じた電圧値とあらかじめ対応させた補正係数を求める補正係数抽出手段と、を具備する液晶表示装置において、前記映像データ強調手段は、前記差分と前記補正係数とに基づいて入力映像データの強調を行うことにより、液晶パネルにおけるハードウェア特性上のばらつきを吸収でき、均一な光学特性を得ることである。
【００１８】
以下、本発明の実施の形態について、添付図面を参照して詳細に説明する。
(実施の形態１)
図２は、本発明の実施の形態１に係る液晶表示装置の概略構成を示すブロック図である。図２に示す液晶表示装置は、ＴＦＴ（Thin Film Transistor）を能動素子とするアクティブマトリクス型液晶表示装置である。この液晶表示装置は、１つ前のタイミングの入力映像データを格納するフレームメモリ４１と、現在の入力映像データと１つ前の入力映像データとの間の差分に基づいて入力映像データを強調する映像データ強調回路４２と、液晶パネルの信号線を駆動する信号駆動回路４３と、液晶パネルのゲート線を駆動する走査駆動回路４４と、ＴＦＴ基板に対向する対向基板に形成された共通電極を駆動する共通電極駆動回路４５と、ＴＦＴ液晶パネル（以下、液晶パネルという）４６と、スイッチＳＷ１と、検出用抵抗Ｒ１と、整流回路４７と、Ａ／Ｄ（アナログ／ディジタル）コンバータ４８とを備えて構成される。映像データ強調回路４２は、入力された映像データを強調するものであり、映像データ比較回路４２１と、映像データ加算／減算回路４２２と、レジスタ４２３と、セルギャップ補正テーブル４２４と、スイッチＳＷ２と、周期データ発生回路４２５とを備えて構成される。
【００１９】
液晶パネル４６は、通常のアクティブマトリクス型の液晶表示装置に用いられる液晶パネルであり、ＴＦＴ基板と対向基板とが対向配置され、両者の間に液晶層が挟持されて構成されている。ＴＦＴ基板と対向基板には、それぞれ液晶制御層として、電極や配向膜などが形成されている。ＴＦＴ基板の各ＴＦＴのソース電極には、信号駆動回路４３が電気的に接続されており、ＴＦＴ基板の各ＴＦＴのゲート電極には、走査駆動回路４４が電気的に接続されている。そして、信号駆動回路４３は、映像データ強調回路４２と電気的に接続されている。
【００２０】
スイッチＳＷ１は、液晶パネル４６の対向基板の共通電極と共通電極駆動回路４５との間に介挿されており、その共通接点ｃが液晶パネル４６の共通電極に電気的に接続され、接点ａが共通電極駆動回路４６の出力端に電気的に接続されており、接点ｂが検出用抵抗Ｒ１の一端に電気的に接続されている。スイッチＳＷ１は、液晶パネル４６のセルギャップの静電容量検出時に検出用抵抗Ｒ１側の接点ｂに切り替わり、通常動作時に共通電極駆動回路５側の接点ａに切り替わるように制御される。
【００２１】
検出用抵抗Ｒ１は、液晶パネル４６全体のセルギャップ静電容量に応じた電圧を取り出すためのものであり、その一端がスイッチＳＷ１を介して液晶パネル４６の共通電極に接続されており、他端がグランドに接続されている。本実施の形態では、セルギャップ静電容量の検出に交流を用いるので、液晶セルと直列に接続される検出用抵抗Ｒ１には交流電圧が発生する。整流回路４７は、検出抵抗Ｒ１に発生した交流電圧を直流に変換する。
【００２２】
ここで、図３は、セルギャップ静電容量検出部分の等価回路を示す図である。後述する周期データ発生回路４２５で発生した正弦波状の周期データによって信号駆動回路４３から交流電圧が出力されて、液晶パネル４６と直列に接続された検出用抵抗Ｒ１に液晶パネル４６のセルギャップの静電容量に対応する交流電圧が発生する。そして、検出用抵抗Ｒ１で発生した交流電圧が整流回路４７で直流に変換される。
【００２３】
図２に戻り、Ａ／Ｄコンバータ４８は、整流回路４７の直流出力をディジタル変換する。レジスタ４２３は、Ａ／Ｄコンバータ４８のディジタル出力を保存する。補正係数抽出手段であるセルギャップ補正テーブル４２４は、例えば図４に示すように、電圧値と係数ｔｒ，ｔｆ（ｔｒ：立ち上がり時間、ｔｆ：立ち下がり時間）とを対応づけたものである。係数ｔｒは液晶セルに印加する補正データの立ち上がり時間を示すものであり、また係数ｔｆは該補正データの立ち下がり時間を示す。なお、補正係数抽出手段は、セルギャップ補正テーブルに限定されず、入力映像データの強調を行う際に必要となる補正係数を抽出できるものであれば良い。
【００２４】
図５は、セルギャップと液晶パネルの応答特性との関係を示す図である。図５において、実線は係数ｔｒを示し、点線は係数ｔｆを示す。図５から分かるように、セルギャップが大きくなるにしたがって応答時間が長くなり、セルギャップが小さくなるにしたがって応答時間が短くなる。このため、液晶パネル全体にわたって均一な光学特性を得るためには、セルギャップに応じて、映像データを強調する補正値を変える、すなわちオーバドライブ処理における補正値を補正する必要がある。このオーバドライブ処理における補正値の補正は、図５に示すセルギャップ−液晶応答特性に基づいて求められた図４に示す補正テーブルを用いて行う。
【００２５】
レジスタ４２３に保存されているセルギャップ静電容量に応じた電圧値を用いて、セルギャップ補正テーブル４２４を参照し、それにより得られた係数ｔｒ，ｔｆが映像データ加算／減算回路４２２に出力される。すなわち、セルギャップの静電容量に応じた交流電圧にあらかじめ関連づけられた係数ｔｒ，ｔｆが映像データ加算／減算回路４２２に出力される。映像データ加算／減算回路４２２は、取得した係数ｔｒ，ｔｆと映像データ比較回路４２１にて求められた差分とに基づいて現在の入力された映像データを強調した補正データを生成する。この補正データは、セルギャップ分を考慮した補正データである。
【００２６】
図５は、入力データ（映像データ）と、この入力データを補正した補正データと、セルギャップ大小それぞれにおける光学応答とを示す波形図である。図５において、セルギャップが小さくなると（すなわち基板間が狭くなると）、応答時間が短くなるので、従来と同じ補正値であった場合に補正過剰となってオーバーシュート５１やアンダーシュート５２が生じる。逆にセルギャップが大きくなると（すなわち基板間が広くなると）、応答時間が長くなるので、従来と同じ補正値であった場合に補正不足となって所定の改善効果が得られない。このように、セルギャップの大小によって立ち上がりと立ち下がりで応答時間に差があるために、液晶パネルにおけるハードウェア特性上のばらつきが生じる。映像データ加算／減算回路４２２に出力された係数ｔｒ，ｔｆは、セルギャップ分を考慮した補正データであるので、この補正データを用いてオーバドライブ処理を行うことにより、ハードウェア特性上の（セルギャップに起因する）ばらつきを吸収することができ、液晶パネル全体にわたって均一な光学特性を得ることができる。
【００２７】
図２に戻り、スイッチＳＷ２は、映像データ加算／減算回路４２２の出力と周期データ発生回路４２５の出力との切り替えを行う。スイッチＳＷ２の共通接点ｃが信号駆動回路４３の入力端に電気的に接続されており、接点ａが映像データ加算／減算回路４２２の出力端に電気的に接続されており、接点ｂが周期データ発生回路４２５の出力端に電気的に接続されている。スイッチＳＷ２は、セルギャップ静電容量検出時に周期データ発生回路４２５側の接点ｂに切り替わり、通常動作時に映像データ加算／減算回路４２２側の接点ａに切り替わるように制御される。周期データ発生回路４２５は、電圧値が周期的に変化するデータを発生する。本実施の形態では、周期データ発生回路４２５は、液晶パネル４６を構成するＴＦＴ基板のＴＦＴのソース電極に交流電圧を印加するために、電圧値が正弦波状に段階的に変化するデータを発生する。
【００２８】
セルギャップ静電容量検出時には、周期データ発生回路４２５の出力が選択されてデータが信号駆動回路４３に入力される。この際、周期データ発生回路４２５の出力が信号駆動回路４３の全端子に同時に入力される。信号駆動回路４３の全端子に同一の周期的な信号を加え、この信号を変化させることにより交流電圧源を実現している。この際、走査駆動回路４４の全出力をオンにして液晶パネル全体に交流電圧を印加して液晶パネル全体の静電容量の検出を行う。そして、この静電容量の検出をソース電極に対向する共通電極とグランドとの間に介挿した検出用抵抗Ｒ１によって行う。このように、液晶パネル全体に交流電圧を印加することにより、セルギャップの検出面積を広げることができ、検出精度を高めることができる。
【００２９】
次に、上記構成を有する液晶表示装置の動作について説明する。
液晶パネル４６のセルギャップ静電容量検出時には、スイッチＳＷ１を検出用抵抗Ｒ１側に切り替えるとともに、スイッチＳＷ２を周期データ発生回路４２５側に切り替える。スイッチＳＷ２が周期データ発生回路４２５側に切り替わることで、周期データ発生回路４２５で発生したデータが信号駆動回路４３に入力され、信号駆動回路４３が交流電圧源として動作する。またこの際に走査駆動回路４４の全出力がオンとなって、液晶パネル全体に交流電圧が印加される。これにより、液晶パネル全体の静電容量に応じた交流電圧が検出用抵抗Ｒ１に発生し、この交流電圧が整流回路４７で直流に変換された後、Ａ／Ｄコンバータ４８でディジタルの電圧データに変換され、映像データ強調回路４２のレジスタ４２３に保存される。
【００３０】
一方、通常動作時には、スイッチＳＷ１を検出用抵抗Ｒ１側から共通電極駆動回路４５側に切り替えるとともに、スイッチＳＷ２を周期データ発生回路４２５側から映像データ加算／減算回路４２２側に切り替える。そして、映像データが入力されると、フレームメモリ４１に格納されている１つ前のタイミングの映像データと比較され、その差分が映像データ加算／減算回路４２２に入力される。また同時にレジスタ４２３に保存されている電圧データがセルギャップ補正テーブル４２４に入力されて、該電圧データに対応する係数ｔｒ，ｔｆがセルギャップ補正テーブル４２４から読み出される。映像データ加算／減算回路４２２では、セルギャップ補正テーブル４２４から、セルギャップ静電容量に応じた電圧値に対応する係数ｔｒ，ｔｆを取得し、取得した係数ｔｒ，ｔｆと映像データ比較回路４２１にて求められた差分とに基づいて現在の入力映像データを強調した補正データ（セルギャップを考慮した補正データ）を生成する。生成した補正データは、スイッチＳＷ２を介して信号駆動回路４３に入力される。
【００３１】
このように本実施の形態の液晶表示装置は、液晶パネル４６の信号駆動回路４３の全端子に同一の周期的な信号を加えるための周期データ発生回路４２５と、ＴＦＴ液晶パネル４６の共通電極とグランドとの間に介挿する検出用抵抗Ｒ１と、検出用抵抗Ｒ１に発生する液晶パネル全体のセルギャップ静電容量に応じた電圧値を整流する整流回路４７と、整流回路４７の直流出力をディジタル変換するＡ／Ｄコンバータ４８と、Ａ／Ｄコンバータ４８で得られた電圧値を保存するレジスタ４２３と、液晶パネル全体のセルギャップ静電容量に応じた電圧値と係数ｔｒ，ｔｆとを関連づけたセルギャップ補正テーブル４２４とを備えており、これらの補正処理部による補正処理された補正データ、すなわちセルギャップに応じた補正データを映像データ加算／減算回路４２２に出力する。このため、単に時間的に前後する２つの映像データの差分に基づいて補正データを生成する場合と比較して、液晶パネルにおけるハードウェア特性上のばらつきを吸収することができ、均一な光学特性を得ることができる。
【００３２】
(実施の形態２)
図７は、本発明の実施の形態２に係る液晶表示装置の概略構成を示すブロック図である。また、図８は、セルギャップ静電容量検出部分の等価回路を示す図である。なお、図７において、図２と同じ部分については図２と同じ符号を付して、その詳細な説明を省略する。
【００３３】
図７において、本実施の形態の液晶表示装置は、セルギャップ静電容量検出時における交流電圧の印加方法として、信号駆動回路４３の出力を固定して、共通電極駆動回路４５から交流電圧を印加する方法を採用する。この場合、共通電極駆動回路４５には同期信号に替わって交流信号を入力する。また、信号駆動回路４３の出力を固定するために、実施の形態１の周期データ発生回路４２５に代えて、固定データレジスタ４２６を設けている。この構成において、セルギャップ静電容量検出は、検出用抵抗Ｒ１に発生する交流電圧をサンプルホールド（Ｓ／Ｈ）回路４９で取得することにより行う。サンプルホールド回路４９で取得した交流電圧をＡ／Ｄコンバータ４８でディジタル変換して映像データ強調回路４２のレジスタ４２３に保存する。
【００３４】
次に、上記構成を有する液晶表示装置の動作について説明する。
液晶パネル４６のセルギャップ静電容量検出時には、スイッチＳＷ２を固定データレジスタ４２６側に切り替える。スイッチＳＷ２が固定データレジスタ４２６側に切り替わることで、一定値のデータが信号駆動回路４３に入力されて信号駆動回路４３の出力が固定される。また、走査駆動回路４４の全出力がオンとなる。そして、共通電極駆動回路４５からの交流電圧が液晶パネル４６の共通電極に印加されて、液晶パネル全体に交流電圧が印加される。これにより、液晶パネル全体の静電容量に応じた交流電圧が検出用抵抗Ｒ１で発生し、この交流電圧がサンプル／ホールド回路４９で取得されてＡ／Ｄコンバータ４８に入力される。そして、Ａ／Ｄコンバータ４８でディジタル変換されて映像データ強調回路４２のレジスタ４２３に保存される。
【００３５】
一方、通常動作時には、スイッチＳＷ２を固定データレジスタ４２６側から映像データ加算／減算回路４２２側に切り替える。そして、映像データが入力されると、フレームメモリ４１に格納されている１つ前のタイミングの映像データと比較され、その差分が映像データ加算／減算回路４２２に入力される。また同時にレジスタ４２３に保存されている電圧データがセルギャップ補正テーブル４２４に入力されて、該電圧データに対応する補正データ（セルギャップを考慮した補正データ）がセルギャップ補正テーブル４２４から読み出されて映像データ加算／減算回路４２２に入力される。映像データ加算／減算回路４２２では、セルギャップ補正データに基づいて液晶パネル４６のセルギャップに最適な映像データに変換してスイッチＳＷ２を通して信号駆動回路４３に入力する。
【００３６】
このように本実施の形態の液晶表示装置は、ＴＦＴ液晶パネル４６の信号駆動回路４３の全端子に電圧値が一定のデータを印加して信号駆動回路４３の出力を固定する固定データレジスタ４２６と、ＴＦＴ液晶パネル４６の共通電極と共通電極駆動回路４５との間に介挿する検出用抵抗Ｒ１と、検出用抵抗Ｒ１に発生する液晶パネル全体のセルギャップ静電容量に応じた電圧値を取得するサンプル／ホールド回路４９と、サンプル／ホールド回路４９で取得された電圧値をディジタル変換するＡ／Ｄコンバータ４８と、Ａ／Ｄコンバータ４８で得られた電圧値を保存するレジスタ４２３と、液晶パネル全体のセルギャップ静電容量に応じた電圧値と係数ｔｒ，ｔｆとを関連づけたセルギャップ補正テーブル４２４とを備えており、これらの補正処理部による補正処理された補正データ、すなわちセルギャップに応じた補正データを映像データ加算／減算回路４２２に出力する。このため、単に時間的に前後する２つの映像データの差分に基づいて補正データを生成する場合と比較して、液晶パネルにおけるハードウェア特性上のばらつきを吸収することができ、均一な光学特性を得ることができる。
【００３７】
本発明は上記実施の形態１，２に限定されず、種々変更して実施することが可能である。上記実施の形態１，２において、液晶パネル全体のセルギャップ静電容量を検出するように構成した場合について説明しているが、本発明においては、液晶パネルの特定の一つ又はそれ以上の画素に交流電圧を印加してセルギャップを検出するように構成しても良い。また、上記実施の形態で説明した数値や材質については特に制限はない。その他、本発明の目的の範囲を逸脱しない限りにおいて適宜変更することが可能である。
【産業上の利用可能性】
【００３８】
本発明の液晶表示装置は、パーソナルコンピュータで使用されるモニタや液晶テレビ受信機などの電子機器への適用が可能である。
【図面の簡単な説明】
【００３９】
【図１】ＴＦＴ液晶パネルの部分断面図である。
【図２】本発明の実施の形態１に係る液晶表示装置の概略構成を示すブロック図である。
【図３】図２に示す液晶表示装置におけるセルギャップ静電容量検出部分の等価回路を示す図である。
【図４】図２に示す液晶表示装置におけるセルギャップ補正テーブルの一例を示す図である。
【図５】セルギャップと液晶応答特性との関係を示す図である。
【図６】図２に示す液晶表示装置における入力データとこの入力データを補正した補正データとセルギャップの大小による光学応答を示す波形図である。
【図７】本発明の実施の形態２に係る液晶表示装置の概略構成を示すブロック図である。
【図８】図７に示す液晶表示装置におけるセルギャップ静電容量検出部分の等価回路を示す図である。
【図９】従来の液晶表示装置の概略構成を示すブロック図である。
【図１０】従来の液晶表示装置における入力データとこの入力データを補正した補正データとこの補正データによる液晶パネルの光学応答を示す波形図である。
【符号の説明】
【００４０】
４１  フレームメモリ
４２  映像データ強調回路
４３  信号駆動回路
４４  走査駆動回路
４５  共通電極駆動回路
４６  ＴＦＴ液晶パネル
４７  整流回路
４８  Ａ／Ｄコンバータ
４９  サンプル／ホールド回路
４２１  映像データ比較回路
４２２  映像データ加算／減算回路
４２３  レジスタ
４２４  セルギャップ補正テーブル
４２５  周期データ発生回路
４２６  固定データレジスタ
ＳＷ１，ＳＷ２  スイッチ
Ｒ１  検出用抵抗
【図１】
2007256327.tif 000003
【図２】
2007256327.tif 000004
【図３】
2007256327.tif 000005
【図４】
2007256327.tif 000006
【図５】
2007256327.tif 000007
【図６】
2007256327.tif 000008
【図７】
2007256327.tif 000009
【図８】
2007256327.tif 000010
【図９】
2007256327.tif 000011
【図１０】
2007256327.tif 000012